(57)【要約】排気管は、排ガスを流下させる管状の部位である上流部及び接続部と、少なくとも１つの突出部とを備える。少なくとも１つの突出部は、上流部及び接続部の双方又は一方における内壁から突出する。また、接続部は、上流部の下流側に繋がると共に、浄化装置が配置される管状の部位である浄化部の上流側に繋がる。浄化部の上流側の開口は、上流部よりも幅広な部分を有する。また、少なくとも１つの突出部において、頂部から根元側に向かう方向を誘導方向とする。該突出部は、該突出部の下流側に隣接する領域に流入した排ガスの接続部での進路を誘導方向に傾けるよう、排ガスの流下方向に沿った断面が流線型状に湾曲している。
2017208406.tif 000002
【特許請求の範囲】
【請求項１】
排ガスを流下させる排気管であって、
前記排ガスを流下させる管状の上流部と、
前記排ガスを流下させる管状の部位であって、前記上流部の下流側に繋がる接続部と、
前記上流部及び前記接続部の双方又は一方における内壁から突出する少なくとも１つの突出部と、を備え、
前記排ガスの浄化装置が配置される管状の部位であって、上流側の開口が、前記上流部よりも幅が広い部分を有する部位を浄化部とし、
前記接続部は、当該接続部の下流側に位置する前記浄化部に繋がっており、
前記少なくとも１つの突出部において、頂部から根元側に向かう方向を誘導方向とし、
前記少なくとも１つの突出部は、当該突出部の下流側に隣接する領域に流入した前記排ガスの前記接続部での進路を前記誘導方向に傾けるよう、前記排ガスの流下方向に沿った断面が流線型状に湾曲している
排気管。
【請求項２】
請求項１に記載の排気管において、
前記上流部の内側の領域と前記接続部の内側の領域との境界を、接続口とし、
前記内壁における前記少なくとも１つの突出部が設けられる領域を、突出領域とし、
前記突出領域は、前記接続口と交差する状態、又は、前記接続口の下流側或いは上流側にて縁部の一部が前記接続口に沿って位置する状態で設けられる
排気管。
【請求項３】
請求項２に記載の排気管において、
前記上流部における下流側の端部を含む区間は、直線状の伸長方向に延びており、
前記接続口を前記伸長方向に沿って下流側に移動させた際に当該接続口が通過する領域を、正面領域とし、
前記接続口の下流側にて縁部の一部が前記接続口に沿って位置する前記突出領域に設けられた前記少なくとも１つの突出部は、その頂部が前記正面領域に達している
排気管。
【請求項４】
請求項１から請求項３のうちのいずれか１項に記載の排気管において、
前記少なくとも１つの突出部は、前記排ガスの流路を側方から囲んだ状態で設けられる
排気管。
【発明の詳細な説明】
【技術分野】
【０００１】
本開示は、浄化装置に向けて排ガスを流下させる排気管に関する。
【背景技術】
【０００２】
排気管における浄化装置の配置区間は、当該配置区間よりも上流側の区間に比べ幅広となる場合がある。また、排気管の配置スペースを抑制する為、排気管の経路が複雑化したり、排気管の幅を縮小したりする場合がある。これらの場合には、特定の領域に偏った状態で、排ガスが浄化装置に流入する恐れがある。その結果、浄化装置による排ガスの浄化作用が低下する恐れがある。【０００３】
これに対し、特許文献１には、排ガスを選択還元型触媒に流下させる湾曲した導入部の外周側に、内周側に向かって突出する窪み部を設けることが記載されている。窪み部により、導入部の外周側の流下する排気ガスが内周側に誘導される。その結果、排気ガスは、より一様化された状態で選択還元型触媒に流入する。
【先行技術文献】
【特許文献】
【０００４】
【特許文献１】特許第４９２０５３２号公報
【発明の概要】
【発明が解決しようとする課題】
【０００５】
しかし、特許文献１に記載された技術では、窪み部の位置の反対側に向かって排ガスが誘導される。排気管の形状によっては、このような窪み部を用いても排ガスの流れの調整が困難な場合がある。【０００６】
浄化装置の浄化作用が十分に発揮されるように、排ガスを浄化装置に流入させるのが望ましい。
【課題を解決するための手段】
【０００７】
本開示の一側面である排気管は、排ガスを流下させる。該排気管は、上流部と、接続部と、少なくとも１つの突出部とを備える。上流部は、排ガスを流下させる管状の部位である。また、接続部は、排ガスを流下させる管状の部位であって、上流部の下流側に繋がる。また、少なくとも１つの突出部は、上流部及び接続部の双方又は一方における内壁から突出する。【０００８】
また、排ガスの浄化装置が配置される管状の部位であって、上流側の開口が、上流部よりも幅が広い部分を有する部位を、浄化部とする。接続部は、当該接続部の下流側に位置する浄化部に繋がっている。また、少なくとも１つの突出部において、頂部から根元側に向かう方向を誘導方向とする。少なくとも１つの突出部は、当該突出部の下流側に隣接する領域に流入した排ガスの接続部での進路を誘導方向に傾けるよう、排ガスの流下方向に沿った断面が流線型状に湾曲している。【０００９】
このような構成によれば、少なくとも１つの突出部の付近を流下する排ガスは、該突出部から剥離せず、該突出部に沿って流下する。このため、該突出部の下流側に隣接する領域に流入した排ガスは、その進路が誘導方向に傾く。その結果、該排ガスは、接続部にて進路が誘導方向に傾けられる。これにより、排ガスの流れを好適に調整可能となる。したがって、浄化装置の浄化作用が十分に発揮されるように、排ガスを浄化装置に流入させることが可能となる。【００１０】
なお、上記構成において、上流部の内側の領域と接続部の内側の領域との境界を、接続口としても良い。また、内壁における少なくとも１つの突出部が設けられる領域を、突出領域としても良い。そして、突出領域は、接続口と交差する状態、又は、接続口の下流側或いは上流側にて縁部の一部が接続口に沿って位置する状態で設けられても良い。【００１１】
このような構成によれば、排ガスが接続部に進入するタイミング、又は、該タイミングの直前或いは直後に、排ガスの進路が調整される。このため、接続部内での排ガスの流れをより好適に調整可能となる。したがって、浄化装置の浄化作用が十分に発揮されるように、排ガスを浄化装置に流入させることが可能となる。【００１２】
また、上記構成において、上流部における下流側の端部を含む区間は、直線状の伸長方向に延びていても良い。また、接続口を伸長方向に沿って下流側に移動させた際に当該接続口が通過する領域を、正面領域としても良い。そして、接続口の下流側にて縁部の一部が接続口に沿って位置する突出領域に設けられた少なくとも１つの突出部は、その頂部が正面領域に達していても良い。【００１３】
このような構成によれば、より多くの排ガスの進路を、接続部にて誘導方向に傾けることができる。したがって、浄化装置の浄化作用が十分に発揮されるように、排ガスを浄化装置に流入させることが可能となる。【００１４】
また、上記構成において、少なくとも１つの突出部は、排ガスの流路を側方から囲んだ状態で設けられていても良い。
このような構成によれば、流路の縁部を流下する排ガスは、接続部に進入した後に進路が外側に傾けられる。つまり、接続部にて排ガスの進路を外側に拡散させることが可能となる。これにより、より一様な状態で排ガスを浄化装置に流入させることが可能となる。その結果、浄化装置の浄化作用を十分に発揮させることが可能となる。
【図面の簡単な説明】
【００１５】
【図１】図１Ａは、第１実施形態の排気管の正面図である。図１Ｂ，１Ｃは、第１実施形態の排気管の側面図である。図１Ｄは、第１実施形態の排気管の１Ｄ−１Ｄ断面図である。
【図２】図２Ａは、第２実施形態の排気管の正面図である。図２Ｂ，２Ｃは、第２実施形態の排気管の側面図である。図２Ｄは、第２実施形態の排気管の２Ｄ−２Ｄ断面図である。
【図３】図３Ａは、第３実施形態の排気管の正面図である。図３Ｂ，３Ｃは、第３実施形態の排気管の側面図である。図３Ｄは、第３実施形態の排気管の３Ｄ−３Ｄ断面図である。
【図４】図４Ａは、第４実施形態の排気管の側面図である。図４Ｂ，４Ｃは、他の実施形態における排気管を側方から見た断面図である。図４Ｄは、他の実施形態における排気管の側面図である。
【符号の説明】
【００１６】
１…排気管、２…浄化部、３…排気管、４…浄化部、５〜８…排気管、１０…接続部、１０ａ…正面領域、１１，１２…突出部、１５…接続口、１６…上流部、１７…上流部、２０…浄化装置、３０…接続部、３０ｅ…正面領域、３１，３２…突出部、３５…接続口、３６…上流部、４０…浄化装置、５０…接続部、５０ｅ…正面領域、５１〜５４…突出部、５５…接続口、５６…上流部、６０…接続部、６１…突出部、６５…接続口、６６…上流部、７０…接続部、７１，７２…突出部、７５…接続口、７６…上流部、８０…接続部、８１，８２…突出部、８５…接続口、８６…上流部。
【発明を実施するための形態】
【００１７】
以下、本開示の実施形態について図面を用いて説明する。なお、本開示の実施の形態は、下記の実施形態に何ら限定されることはなく、本開示の技術的範囲に属する限り種々の形態を採りうる。
【００１８】
［第１実施形態］
［構成の説明］
図１Ａ〜１Ｄに示す第１実施形態の排気管１は、排ガスを流下させる排ガス流路を構成する部材に含まれる。一例として、排ガス流路とは、車両に搭載され、エンジンからの排ガスを排出するためのものであっても良い。また、一例として、排ガスは、ガソリンエンジン又はディーゼルエンジンから排出されたものであっても良い。無論、排ガス流路は、車両以外に設けられていても良い。また、排ガスは、エンジン以外から排出されたものであっても良い。
【００１９】
以後、排気管１にて排ガスが流下する方向を、流下方向と記載する。また、排ガスの流路における上流側，下流側を、単に上流側，下流側と記載する。また、管状の部材における上流側，上流側の端部をなす開口を、入口，出口と記載する。
【００２０】
排気管１は、当該排気管１の下流側に位置する浄化部２に繋がっている。浄化部２は、管状の部材である。また、浄化部２は、円筒状となっており、流下方向に直交する断面は、円形又は略円形となっている。そして、浄化部２の入口は、後述する排気管１の上流部１６よりも幅が広い。浄化部２には、排ガスを浄化するための浄化装置２０が配置される。なお、浄化装置２０とは、例えば、ＤＰＦ（Diesel Particulate Filterの略）、ＤＯＣ（Diesel Oxidation Catalystの略）、又は、ＳＣＲ（Selective Catalytic Reductionの略）等であっても良い。浄化装置２０は、円柱状である。
【００２１】
排気管１は、管状の部材である接続部１０及び上流部１６と、２つの突出部１１，１２とを有する。
接続部１０は、上流部１６の下流側に繋がる。また、接続部１０は、浄化部２の上流側に繋がっており、上流部１６と浄化部２とを繋ぐ。つまり、接続部１０は、上流部１６から流下した排ガスを、浄化部２に向けて流下させる。第１実施形態では、接続部１０の形状は、一例として直円錐状となっており、接続部１０は、下流側に向かうにつれ径が大きくなる（換言すれば、幅が広くなる）。また、接続部１０の入口及び出口は、共に円形又は略円形となっている。そして、出口は、入口よりも大きい。
【００２２】
上流部１６は、接続部１０の上流側に繋がる。上流部１６は、一定、又は、略一定の幅を有する。第１実施形態では、上流部１６は、一例として円筒状となっている。ここで、上流部１６の内側の領域と接続部１０の内側の領域との境界を、接続口１５と記載する。上流部１６は、接続口１５から上流側に向かって直線状に延びる。以後、上流部１６の延びる方向を、伸長方向と記載する。伸長方向は、接続口１５と直交又は略直交する方向である。
【００２３】
２つの突出部１１，１２は、接続部１０の内壁における接続口１５の付近に位置する。ここで、接続部１０の内壁における各々の突出部が設けられた領域を、突出領域と記載する。突出領域は、その縁部の一部（換言すれば、上流側の縁部）が、接続口１５の縁部に沿って位置する。換言すれば、突出領域は、その縁部の一部が、接続口１５の縁部に並んだ状態となっている。なお、２つの突出部１１，１２を、接続部１０の内壁における接続口１５から離れた位置に設けても良い。また、例えば、接続口１５の付近に限らず、２つの突出部１１，１２を、接続部１０の内壁における入口寄りの位置に配置しても良い。
【００２４】
２つの突出部１１，１２は、接続部１０の内側の領域（換言すれば、排ガスの流路）を挟んで接続部１０の幅方向に対面する。より詳しくは、２つの突出部１１，１２は、接続部１０の中心線を挟んで対面する。中心線とは、接続部１０の両端をなす開口の中心を通過する仮想的な直線である。
【００２５】
ここで、２つの突出部１１，１２の各々が突出する方向を、突出方向とする。突出方向は、接続部１０の内壁から、接続部１０の幅方向の中央に向かう方向となる。また、突出方向は、接続部１０における排ガスの流下方向と交差する方向となる。２つの突出部１１，１２は、接続部１０の内壁を突出方向に湾曲させたものとなっている。なお、２つの突出部１１，１２は、同じ形状であっても良い。
【００２６】
また、２つの突出部１１，１２の各々において、頂部から根元側に向かう方向を、誘導方向とする。誘導方向は、突出方向の反対方向となる。
図１Ｄに示すように、２つの突出部１１，１２は、それぞれ、排ガスの流下方向に沿った断面が流線型状となっている。換言すれば、２つの突出部１１，１２の流下方向に沿った断面は、翼断面の上側部分と同様の形状となっている。このため、２つの突出部１１，１２の付近を流下する排ガスは、当該突出部から剥離せず、当該突出部に沿って流下する。換言すれば、２つの突出部１１，１２は、当該突出部に沿って流下する排ガスを、当該突出部から剥離させない形状となっている。これにより、２つの突出部１１，１２の各々の下流側に隣接する領域に流入した排ガスは、その進路が、当該突出部の誘導方向に傾く。
【００２７】
また、接続部１０の内側の領域において、接続口１５を伸長方向に沿って下流側に移動させた際に接続口１５が通過する領域を、正面領域１０ａとする。２つの突出部１１，１２は、その頂部が正面領域１０ａに達している。つまり、２つの突出部１１，１２の各々における頂部は、伸長方向に沿って接続口１５に対面した状態となる。なお、２つの突出部１１，１２の双方又は一方の頂部を、正面領域１０ａに達しないようにしても良い。
【００２８】
［効果］
（１）第１実施形態の排気管１によれば、２つの突出部１１，１２の付近を流下する排ガスは、該突出部から剥離せず、該突出部に沿って流下する。このため、該突出部の下流側に隣接する領域に流入した排ガスは、その進路が誘導方向に傾く。その結果、接続部１０における２つの突出部１１，１２の下流側では、排ガスが流路の外側に拡散される。これにより、より一様な状態で、排ガスを浄化装置２０に流入させることが可能となる。したがって、浄化装置２０の浄化作用が十分に発揮されるように、排ガスを浄化装置２０に流入させることが可能となる。
【００２９】
また、２つの突出部１１，１２は、流下方向に沿った断面が流線型状であるため、排ガスが排気管１を流下する際の圧力損失の増加を抑制できる。
（２）また、第１実施形態では、２つの突出部１１，１２は、接続部１０の内壁における接続口１５の付近に設けられている。このため、排ガスが接続部１０に進入した直後のタイミングで、排ガスの進路が調整される。このため、接続部内での排ガスの流れをより好適に調整可能となる。したがって、浄化装置２０の浄化作用が十分に発揮されるように、排ガスを浄化装置２０に流入させることが可能となる。
【００３０】
（３）また、第１実施形態では、２つの突出部１１，１２の頂部は、接続口１５の正面領域１０ａに達している。このため、より多くの排ガスの進路を、接続部１０にて誘導方向に傾けることができる。したがって、浄化装置２０の浄化作用が十分に発揮されるように、排ガスを浄化装置２０に流入させることが可能となる。
【００３１】
［第２実施形態］
［構成の説明］
図２Ａ〜２Ｄに示す第２実施形態の排気管３は、第１実施形態と同様、排ガス流路を構成する部材に含まれる。排気管３は、当該排気管３の下流側に位置する浄化部４に繋がっている。浄化部４は、管状の部材であり、第１実施形態と同様の浄化装置４０が配置される。なお、浄化部４は、流下方向に直交する断面が矩形状（より詳しくは、丸みを帯びた矩形）であり、後述する排気管３の上流部３６よりも幅が広い。以後、該断面の長手方向，短手方向を、それぞれ、単に長手方向，短手方向と記載する。具体的には、浄化部４の入口は、長手方向及び短手方向の幅が上流部３６よりも広くなっている。しかしながら、浄化部４の入口の長手方向の幅を上流部３６の幅よりも広くし、短手方向の幅は、上流部３６の幅以下としても良い。つまり、浄化部４の入口は、少なくとも長手方向において、上流部３６よりも幅が広くなっていても良い。なお、浄化装置４０の形状は、浄化部４の外壁と同様、角柱状となっている。
【００３２】
排気管３は、管状の部材である接続部３０及び上流部３６と、２つの突出部３１，３２とを有する。
接続部３０は、上流部３６の下流側に繋がる。また、接続部３０は、浄化部４の上流側に繋がっており、上流部３６と浄化部４とを繋ぐ。つまり、接続部３０は、上流部３６から流下した排ガスを、浄化部４に向けて流下させる。また、接続部３０の入口は、円形又は略円形となっている。一方、接続部３０の出口は、浄化部４の入口と同様の矩形状である。
【００３３】
このため、接続部３０は、丸みを帯びた四角錘状となっている。したがって、接続部３０は、下流側に向かうにつれ幅が広くなる。また、接続部３０における短手方向に沿って延びる２つの部分を、短手部３０ａ，３０ｃとする。２つの短手部３０ａ，３０ｃは、長手方向に対面する。また、接続部３０における長手方向に沿って延びる２つの部分を、長手部３０ｂ，３０ｄとする。２つの長手部３０ｂ，３０ｄは、短手方向に対面する。
【００３４】
上流部３６は、接続部３０の上流側に繋がり、第１実施形態の上流部１６と同様の構成を有する。ここで、上流部３６の内側の領域と接続部３０の内側の領域との境界を、接続口３５と記載する。上流部３６は、第１実施形態と同様にして、接続口３５から上流側に延びる。
【００３５】
２つの突出部３１，３２は、接続部３０の内壁における接続口３５の付近に位置する。より詳しくは、２つの突出部３１，３２の各々が設けられた突出領域は、その縁部の一部（換言すれば、上流側の縁部）が、接続口３５の縁部に沿って位置する。換言すれば、突出領域は、その縁部の一部が、接続口３５の縁部に並んだ状態となっている。なお、２つの突出部３１，３２を、接続部３０の内壁における接続口３５から離れた位置に設けても良い。また、例えば、接続口３５の付近に限らず、２つの突出部３１，３２を、接続部３０の内壁における入口寄りの位置に配置しても良い。
【００３６】
２つの突出部３１，３２は、それぞれ、接続部３０における２つの短手部３０ａ，３０ｃに位置する。２つの突出部３１，３２は、接続部３０の内側の領域（換言すれば、排ガスの流路）を挟んで長手方向に対面する。より詳しくは、２つの突出部３１，３２は、接続部３０の中心線を挟んで対面する。中心線とは、接続部３０の入口の中心と出口の中心とを通過する仮想的な直線である。このため、２つの突出部３１，３２の突出方向は長手方向となる。
【００３７】
２つの突出部３１，３２は、第１実施形態の２つの突出部１１，１２と同様に構成されている。つまり、２つの突出部３１，３２は、流下方向に沿った断面が流線型状となっている。このため、接続部３０では、２つの突出部３１，３２の付近を流下する排ガスは、該突出部の下流側で、排ガスの流路の外側に拡散される。なお、２つの突出部３１，３２は、同じ形状であっても良い。
【００３８】
また、２つの突出部３１，３２の各々の頂部は、接続部３０の内側の領域における正面領域３０ｅに達している。なお、正面領域３０ｅとは、第１実施形態と同様にして定められたものである。つまり、これらの頂部は、流下方向に沿って接続口３５に対面した状態となる。なお、２つの突出部３１，３２の双方又は一方の頂部を、正面領域３０ｅに達しないようにしても良い。
【００３９】
［効果］
第２実施形態の排気管３によれば、第１実施形態における（１）〜（３）と同様の効果が得られる。
【００４０】
［第３実施形態］
［構成の説明］
図３Ａ〜３Ｄに示す第３実施形態の排気管５は、第２実施形態と同様に構成されているが、突出部の構成が第２実施形態と異なっている。以下では、第２実施形態との相違点を中心に説明する。
【００４１】
第３実施形態の排気管５は、接続部５０と上流部５６とを有する。上流部５６は、第２実施形態の上流部３６と同様に構成されている。また、接続部５０は、第２実施形態の接続部３０と同様に構成されており、第２実施形態と同様の浄化部４に繋がる。接続部５０は、第２実施形態と同様の２つの短手部５０ａ，５０ｃ及び２つの長手部５０ｂ，５０ｄを有する。しかし、接続部５０は、４つの突出部５１〜５４を有する点で第２実施形態の接続部３０と異なっている。
【００４２】
４つの突出部５１〜５４は、接続部５０の内壁における接続口５５の付近に位置する。より詳しくは、４つの突出部５１〜５４の各々が設けられた突出領域は、その縁部の一部（換言すれば、上流側の縁部）が、接続口５５の縁部に沿って位置する。換言すれば、突出領域は、その縁部の一部が、接続口５５の縁部に並んだ状態となっている。なお、４つの突出部５１〜５４を、接続部５０の内壁における接続口５５から離れた位置に設けても良い。また、例えば、接続口５５の付近に限らず、４つの突出部５１〜５４を、接続部５０の内壁における入口寄りの位置に配置しても良い。
【００４３】
４つの突出領域は、それぞれ、短手部と長手部との境界と交差した状態で位置する。つまり、４つの突出領域の各々は、略四角錐状の接続部５０における丸みを帯びた角の部分に位置する。ここで、接続部５０の出口を対角線状に横切る方向を、対角線方向とする。４つの突出部５１〜５４の突出方向は、対角線方向となる。
【００４４】
また、４つの突出部５１〜５４のうちの２つの突出部５１，５４は、接続部５０の内側の領域（換言すれば、排ガスの流路）を挟んで対角線方向に対面する。より詳しくは、該２つの突出部５１，５４は、接続部５０の中心線を挟んで対面する。残りの２つの突出部５２，５３も、同様にして対角線方向に対面する。
【００４５】
４つの突出部５１〜５４は、第１，第２実施形態の２つの突出部と同様に構成されている。つまり、４つの突出部５１〜５４は、流下方向に沿った断面が流線型状となっている。このため、接続部５０では、４つの突出部５１〜５４の付近を流下する排ガスは、該突出部の下流側で、排ガスの流路の外側に拡散される。なお、４つの突出部５１〜５４は、同じ形状であっても良い。
【００４６】
また、４つの突出部５１〜５４の各々の頂部は、接続部５０の内側の領域における正面領域５０ｅに達している。なお、正面領域５０ｅは、第１，第２実施形態と同様にして定められたものである。つまり、これらの頂部は、流下方向に沿って接続口５５に対面した状態となる。なお、２つの突出部５１〜５４の全部又は一部の頂部を、正面領域５０ｅに達しないようにしても良い。
【００４７】
［効果］
第３実施形態の排気管５によれば、第１，第２実施形態における（１）〜（３）と同様の効果が得られる。
【００４８】
［第４実施形態］
［構成の説明］
図４Ａに示す第４実施形態の排気管６は、第１実施形態と同様に構成されているが、突出部の構成が第１実施形態と異なっている。以下では、第１実施形態との相違点を中心に説明する。
【００４９】
第４実施形態の排気管６は、接続部６０と上流部６６とを有する。上流部６６は、第１実施形態の上流部１６と同様に構成されている。また、接続部６０は、第１実施形態の接続部１０と同様に構成されているが、１つの突出部６１を有する点で第１実施形態の接続部１０と異なっている。
【００５０】
突出部６１は、接続部６０の内側の領域（換言すれば、排ガスの流路）を側方から囲んだ状態で配置される。換言すれば、突出部６１は、接続部６０の内壁を、排ガスの流下方向と交差する方向に沿って一周する。突出部６１は、接続部６０の内壁における接続口６５の付近に位置する。より詳しくは、突出部６１が設けられた突出領域は、その縁部の一部（換言すれば、上流側の縁部）が、接続口６５の縁部に沿って位置する。換言すれば、突出領域は、その縁部の一部が、接続口６５の縁部に並んだ状態となっている。なお、突出部６１を、接続部６０の内壁における接続口６５から離れた位置に設けても良い。また、例えば、接続口６５の付近に限らず、突出部６１を、接続部６０の内壁における入口寄りの位置に配置しても良い。
【００５１】
突出部６１は、第１〜第３実施形態の突出部と同様に構成されている。つまり、突出部６１は、流下方向に沿った断面が流線型状となっている。このため、接続部６０では、１つの突出部６１の付近を流下する排ガスは、該突出部の下流側で、排ガスの流路の外側に拡散される。
【００５２】
また、突出部６１の頂部は、接続部６０の内側の領域における正面領域に達している。なお、正面領域は、第１〜第３実施形態と同様にして定められたものである。つまり、これらの頂部は、流下方向に沿って接続口６５に対面した状態となる。なお、突出部６１の頂部を、正面領域に達しないようにしても良い。
【００５３】
［効果］
第４実施形態の排気管６によれば、第１〜第３実施形態における（１）〜（３）と同様の効果が得られる。
【００５４】
また、第４実施形態では、１つの突出部６１は、排ガスの流路を側方から囲んだ状態で設けられている。このため、接続部６０の縁部を流下する排ガスは、接続部６０に進入した後に進路が外側に傾けられる。つまり、接続部６０にて排ガスの進路を外側に拡散させることが可能となる。これにより、より一様な状態で排ガスを浄化装置２０に流入させることが可能となる。
【００５５】
［他の実施形態］
（１）第１〜第４実施形態の排気管における少なくとも１つの突出部は、接続部を突出方向に向けて湾曲させることで構成される。しかしながら、これに限らず、例えば、突出領域に物体を配置することで、少なくとも１つの突出部を構成しても良い。
【００５６】
（２）第１〜第４実施形態では、少なくとも１つの突出部は、接続部の内壁における接続口の付近に設けられている。
しかしながら、例えば、図４Ｂに示すように、排気管７において、２つの突出部７１，７２を、接続部７０及び上流部７６の内壁に、接続口７５と交差する位置に設けても良い。なお、排気管７は、第１実施形態と同様の接続部７０及び上流部７６を有する。換言すれば、２つの突出部７１，７２の各々が設けられる突出領域を、接続口７５と交差する状態で、接続部７０及び上流部７６の内壁に跨って設けても良い。
【００５７】
また、例えば、図４Ｃに示すように、排気管８において、２つの突出部８１，８２を、上流部８６の内壁における接続口８５の付近に設けても良い。なお、排気管８は、第１実施形態と同様の接続部８０及び上流部８６を有する。この時、２つの突出部８１，８２の各々が設けられる突出領域の縁部の一部（換言すれば、下流側の縁部）は、接続口８５に沿った状態となる。換言すれば、該突出領域の縁部の一部は、接続口８５に並んだ状態となる。
【００５８】
また、第２〜第４実施形態においても同様に、少なくとも１つの突出部を接続口と交差する状態で設けても良い。また、同様に、少なくとも１つの突出部を、上流部の内壁における接続口の付近に設けても良い。
【００５９】
また、少なくとも１つの突出部を、上流部の内壁における接続口から離れた位置に設けても良い。このような場合であっても、該突出部の下流側に隣接する領域に進入した排ガスの進路は、該突出部の誘導方向に傾く。その結果、該排ガスが接続部に流入した後の進路を、誘導方向に傾けることができる。
【００６０】
また、複数の突出部を、接続口と交差する位置と、接続部の内壁と、上流部の内壁とのうちの少なくとも２か所に設けても良い。
なお、上述した位置に少なくとも１つの突出部を配置する場合においても、第４実施形態と同様、該突出部を、排ガスの流路を側方から囲んだ状態で設けても良い。
【００６１】
（３）第１，第２実施形態の排気管では、２つの突出部が幅方向に対面した状態で設けられている。また、第３実施形態の排気管では、４つの突出部が幅方向に対面した状態で設けられている。しかしながら、突出部の数及び位置は、上述した内容に限定されない。
【００６２】
具体的には、例えば、図４Ｄに示すように、第１実施形態の排気管１において、直線状に延びる上流部１６に替えて、屈曲した上流部１７が用いられる場合が想定される。このような場合には、排ガスは、上流部１７の外周側に偏った状態で接続部１０に流入する可能性がある。このため、接続部１０における上流部１７の内周側の内壁に、第１実施形態と同様の１つの突出部１１を設けても良い。これにより、接続部１０では、上流部１７の内周側を流下した排ガスの進路が、内周側に傾けられる。つまり、接続部１０では、該排ガスが内周側に拡散される。このため、接続部１０を流下する排ガスを、より一様に浄化装置２０に流入させることが可能となる。
【００６３】
（４）第１〜第４実施形態では、接続部を流下する排ガスを、より一様に浄化装置の流入させることを目的として突出部が設けられている。しかしながら、浄化部の入口の一部の領域（以後、特定領域と記載）から多くの排ガスを流入させた方が、より高い浄化作用が得られる浄化装置も存在する。このような浄化装置を用いる場合には、排ガスの流下方向を特定領域に向けるように１又は複数の突出部を設けるのが好適である。
【００６４】
（５）上流部、接続部、及び、浄化部の形状、位置、及び、向き等は、第１〜第４実施形態にて例示した内容に限らず、状況に応じて様々に定めることができる。
具体例を挙げると、上流部は、一定の幅を有していなくても良い。また、上流部は、湾曲又は屈曲していても良い。また、上流部は、第１〜第４実施形態とは異なる向きに向かって接続部の接続口から延びていても良い。また、浄化部の形状は、その入口が、少なくとも予め定められた方向において上流部よりも幅広となっていても良い。また、上流部及び浄化部は、同程度の幅を有していても良い。
【００６５】
また、接続部は、上流部又は浄化部の形状及び位置等に応じて、様々な形状とすることができる。具体的には、第１〜第４実施形態のように、接続部は、幅を広げながら直線状に延びる形状であっても良い。また、接続部は、幅を広げながら、曲がった経路に沿って延びる形状であっても良い。
【００６６】
そして、上流部、接続部、又は、浄化部の形状が、第１〜第４実施形態と異なる場合であっても、少なくとも１つの突出部の位置、数、及び、形状等を適切に定めることで、接続部を流下する排ガスの進路を好適に調整できる。なお、上流部が曲がった形状の場合等には、上流部の出口を含む直線状の区間が延びる方向を伸長方向としても良い。そして、該伸長方向に基づき、第１〜第４実施形態と同様に正面領域を定めても良い。また、複数の突出部が設けられる場合、各突出部について、頂部が正面領域に達するか否かを個別に定めても良い。これにより、排ガスを一様に浄化装置に流入させること、又は、上述した特定領域に偏った状態で排ガスを浄化装置に流入させることが可能となる。
【図１】
2017208406.tif 000003
【図２】
2017208406.tif 000004
【図３】
2017208406.tif 000005
【図４】
2017208406.tif 000006
【手続補正書】
【提出日】平成29年7月3日(2017.7.3)
【手続補正１】
【補正対象書類名】特許請求の範囲
【補正対象項目名】全文
【補正方法】変更
【補正の内容】
【特許請求の範囲】
【請求項１】
排ガスを流下させる排気管であって、
前記排ガスを流下させる管状の上流部と、
前記排ガスを流下させる管状の部位であって、前記上流部の下流側に繋がる接続部と、
前記上流部及び前記接続部の双方又は一方における内壁から突出する少なくとも１つの突出部と、を備え、
前記排ガスの浄化装置が配置される管状の部位であって、上流側の開口が、前記上流部よりも幅が広い部分を有する部位を浄化部とし、
前記接続部は、当該接続部の下流側に位置する前記浄化部に繋がっており、
前記少なくとも１つの突出部において、頂部から根元側に向かう方向を誘導方向とし、
前記少なくとも１つの突出部は、当該突出部の下流側に隣接する領域に流入した前記排ガスの前記接続部での進路を前記誘導方向に傾けるよう、前記排ガスの流下方向に沿った断面が流線型状に湾曲している
排気管。
【請求項２】
（削除）
【請求項３】
請求項１に記載の排気管において、
前記上流部の内側の領域と前記接続部の内側の領域との境界を、接続口とし、
前記内壁における前記少なくとも１つの突出部が設けられる領域を、突出領域とし、
前記突出領域は、前記接続口の下流側にて縁部の一部が前記接続口に沿って位置する状態で設けられる
排気管。
【請求項４】
請求項１に記載の排気管において、
前記上流部の内側の領域と前記接続部の内側の領域との境界を、接続口とし、
前記内壁における前記少なくとも１つの突出部が設けられる領域を、突出領域とし、
前記突出領域は、前記接続口と交差する状態、又は、前記接続口の上流側にて縁部の一部が前記接続口に沿って位置する状態で設けられる
排気管。
【請求項５】
請求項３又は請求項４に記載の排気管において、
前記上流部における下流側の端部を含む区間は、直線状の伸長方向に延びており、
前記接続口を前記伸長方向に沿って下流側に移動させた際に当該接続口が通過する領域を、正面領域とし、
前記接続口の下流側にて縁部の一部が前記接続口に沿って位置する前記突出領域に設けられた前記少なくとも１つの突出部は、その頂部が前記正面領域に達している
排気管。
【請求項６】
請求項１、及び、請求項３から請求項５のうちのいずれか１項に記載の排気管において、
前記少なくとも１つの突出部は、前記排ガスの流路を側方から囲んだ状態で設けられる
排気管。
【請求項７】
請求項１、及び、請求項３から請求項６のうちのいずれか１項に記載の排気管において、
前記少なくとも１つの突出部は、前記内壁の異なる位置から異なる方向に突出する複数の突出部である
排気管。
【国際調査報告】
2017208406.tif 000007
2017208406.tif 000008